(57)【特許請求の範囲】
【請求項１】
刃筒の先端部に形成した採取口部に切込端縁を形成し、
この刃筒内を通して採取口部へ挿入し得る採取刃にあっては、周壁の先端部側へ開放した複数の切込みにより複数の弾性腕部を周方向へ区画して片持ち梁状に形成し、その各弾性腕部間で周壁内に採取室を形成するとともに、その各弾性腕部の先端部にはこの採取室内へ突設した採取端縁を形成し、この各採取端縁の外面を前記刃筒の採取口部の内面に接触させ、
前記採取刃の各採取端縁にあっては、弾性腕部の内面とで形成した段差部へ尖端から延びる内面で、採取室からその尖端へ向かうに従い採取端縁の外面側へ広がる斜面を有する引掛部を形成し、
前記採取刃内を通して各採取端縁間へ挿入し得る押接部を有する押出体とこの採取刃とは、前記刃筒に対し分離し得る組付体で一体的に組み込まれ、この組付体にあっては、この押出体の押接部を採取刃の各採取端縁から退避させるように付勢する弾性体と、この弾性体の付勢力に抗して押出体の押接部を各採取端縁間へ挿入する操作体とを設けた
ことを特徴とする皮膚切除具。
【発明の詳細な説明】
【０００１】
【発明の属する技術分野】
この発明は、医療用等の皮膚切除具に関するものである。
【０００２】
【従来の技術】
特公平７ー１０８２９９号公報にかかる皮膚切除具においては、円筒刃部に加え、押出部材が開示されている。この皮膚切除具は下記のように使用される。
【０００３】
上記円筒刃部の刃先を皮膚に当てがった状態で回動させると、皮膚が円形状に切り込まれる。この円筒刃部を持ち上げると、この円形切込部から離れた採取片が円筒刃部内で刃先に付着する。この採取片を押出部材により円筒刃部の外側へ押し出す。
【０００４】
【発明が解決しようとする課題】
しかし、前記皮膚の円形切込部にあっては単に皮膚に円形の筋が入ったに過ぎないので、この円形切込部から採取片を切り離して採取することができない場合も起こり得る。
【０００５】
本発明は、採取片を容易に且つ確実に採取することを目的にしている。
【０００６】
【課題を解決するための手段】
後記実施形態の図面（図１〜３）の符号を援用して本発明を説明する。
請求項１の発明にかかる皮膚切除具は、下記のように構成されている。
刃筒（１）の先端部に形成した採取口部（１１）に切込端縁（１１ａ）を形成している。この刃筒（１）内を通して採取口部（１１）へ挿入し得る採取刃（３）にあっては、周壁（１４）の先端部側へ開放した複数の切込み（１６）により複数の弾性腕部（１７）を周方向へ区画して片持ち梁状に形成し、その各弾性腕部（１７）間で周壁（１４）内に採取室（１８）を形成するとともに、その各弾性腕部（１７）の先端部にはこの採取室（１８）内へ突設した採取端縁（１９）を形成し、この各採取端縁（１９）の外面を前記刃筒（１）の採取口部（１１）の内面に接触させている。前記採取刃（３）の各採取端縁（１９）にあっては、弾性腕部（１７）の内面とで形成した段差部（２１）へ尖端(２０ａ)から延びる内面で、採取室（１８）からその尖端(２０ａ)へ向かうに従い採取端縁（１９）の外面側へ広がる斜面（２０ｂ）を有する引掛部（２０）を形成している。前記採取刃（３）内を通して各採取端縁（１９）間へ挿入し得る押接部（５ａ）を有する押出体（５）とこの採取刃（３）とは、前記刃筒（１）に対し分離し得る組付体（２）で一体的に組み込まれている。この組付体（２）にあっては、この押出体（５）の押接部（５ａ）を採取刃（３）の各採取端縁（１９）から退避させるように付勢する弾性体（６）と、この弾性体（６）の付勢力に抗して押出体（５）の押接部（５ａ）を各採取端縁（１９）間へ挿入する操作体（７）とを設けている。
【００１０】
【発明の実施形態】
以下、本発明の一実施形態にかかる皮膚切除具を図面を参照して説明する。
図１及び図２（ａ）に示す皮膚切除具は、大別して、刃筒１と、この刃筒１に対し分離し得る組付体２とからなる。この組付体２には採取刃３や押出機構４が組み付けられている。この押出機構４は押出体５と圧縮コイルばね６と操作体７と止蓋８とからなる。
【００１１】
＜前記刃筒１＞
この刃筒１は円筒状の柄９と円筒状の外刃体１０とからなる。図２（ｂ）に示すように、この外刃体１０が柄９内に挿着され、この外刃体１０の一部が柄９の先端部から突出している。この外刃体１０の先端部には採取口部１１が形成され、この採取口部１１には円形状の切込端縁１１ａが形成されている。
【００１２】
＜前記組付体２の採取刃３＞
この採取刃３は円筒状の柄１２と円筒状の内刃体１３とからなる。図２（ｂ）に示すように、この内刃体１３にあって、周壁１４は、円筒部１５と、この円筒部１５の先端部で一対の切込み１６により区画された一対の腕部１７とからなり、この周壁１４内の採取室１８がこの両切込み１６で開放されている。この両腕部１７は、相対向して片持ち梁状に形成され、互いに接近離間する方向の弾性を有している。この内刃体１３の円筒部１５が柄１２内に挿着され、この円筒部１５の一部及び前記両腕部１７が柄１２の先端部から突出している。この両腕部１７の先端部に採取端縁１９が形成されている。なお、前記採取刃３の内刃体１３については、切込み１６及び腕部１７の数を三以上に変更して、それらを内刃体１３の周方向へ交互に並設してもよい。
【００１３】
図３（ａ）に示すように、この両採取端縁１９は、両腕部１７間の採取室１８内へ相対向して突設された引掛部２０を有している。この引掛部２０においては、周壁４の一部である両腕部１７の内面とで段差部２１が形成され、尖端２０ａからこの段差部２１へ延びる内面で、採取室１８から外側へ向かうに従い広がる斜面２０ｂを有している。
【００１４】
＜前記組付体２の押出機構４＞
前記採取刃３の柄１２にあって前記内刃体１３に対する反対側で組付筒部２２が一体形成され、この組付筒部２２内に収容孔２２ａが形成されているとともに、この組付筒部２２の外周に周溝２２ｂが形成されている。前記押出体５は棒状に延設され、この押出体５の先端部に大径の押接部５ａが形成されている。この押出体５は組付筒部２２内の収容孔２２ａから前記内刃体１３内の採取室１８を通って前記両腕部１７間に突出している。この押出体５にあって押接部５ａの反対側で前記操作体７が螺着されて一体的に連結されている。この収容孔２２ａに前記圧縮コイルばね６が挿嵌されて押出体５の外周に巻装され、この圧縮コイルばね６の弾性力により押出体５及び操作体７が付勢されて押出体５の押接部５ａが両腕部１７の採取端縁１９から退避する。前記組付筒部２２の周溝２２ｂに前記止蓋８が嵌着され、圧縮コイルばね６の弾性力に抗するように操作体７を係止している。この操作体７を圧縮コイルばね６の弾性力に抗して押すと、押出体５が移動し、押接部５ａが両採取端縁１９間に挿入されてそれらの外側へ突出する。
【００１５】
＜前記刃筒１と前記組付体２との結合状態＞
前記採取刃３の内刃体１３を前記刃筒１の柄９内に挿入すると、採取刃３の柄１２が刃筒１の柄９に並設され、内刃体１３の周壁１４の外面が刃筒１の外刃体１０の内面に接触する。この組付体２の全体を刃筒１に対し移動させると、内刃体１３の両採取端縁１９も外刃体１０の採取口部１１に挿入されてそれらの外側へ突出する。
【００１６】
＜皮膚切除作用＞
＊  図３（ａ）に示す状態
刃筒１の外刃体１０にあって採取口部１１の切込端縁１１ａを皮膚Ｓに当てがった状態で刃筒１を回動させると、皮膚Ｓが円形状に切り込まれる。
【００１７】
この切込み状態にある刃筒１に組付体２を結合すると、図２（ｂ）及び図３（ａ）に示す状態になる。
＊  図３（ｂ）に示す状態
図３（ａ）の状態から、組付体２の全体を刃筒１に対し押し下げて組付体２の柄１２を刃筒１の柄９に接近させると、採取刃３の内刃体１３にあって両腕部１７の採取端縁１９が皮膚Ｓの円形切込部にくい込み、この円形切込部が浮き上げられて採取室１８に入り込み、両採取端縁１９の引掛部２０で段差部２１上に載る。
【００１８】
＊  図３（ｃ）に示す状態
図３（ｂ）の状態から、刃筒１及び組付体２の全体を持ち上げると、刃筒１の採取口部１１が皮膚Ｓの円形切込部から離れるとともに、皮膚Ｓの円形切込部から離れた採取片Ｅが、採取室１８で引掛部２０上の段差部２１に載って両採取端縁１９に保持される。
【００１９】
＊  図３（ｄ）に示す状態
図３（ｃ）の状態から、操作体７を押圧体５とともに圧縮コイルばね６の弾性力に抗して押し下げると、押圧体５の押接部５ａが両採取端縁１９上の採取片Ｅを外側へ押し出す。この操作体７を離すと、圧縮コイルばね６の弾性力により図３（ｃ）の状態に戻る。
【００３１】
【発明の効果】
請求項１の発明にかかる皮膚切除具は、下記＊の効果を有する。
＊  刃筒（１）内へ挿入し得る採取刃（３）を備えているので、刃筒（１）により切り込んだ皮膚（Ｓ）をこの採取刃（３）の採取端縁（１９）で保持し、採取片（Ｅ）として容易に且つ確実に採取することができる。
【００３２】
＊  採取刃（３）の採取端縁（１９）は段差状の引掛部（２０）を有しているので、この引掛部（２０）で採取片（Ｅ）を保持し易くなり、皮膚（Ｓ）の採取片（Ｅ）をより一層容易に且つ確実に採取することができる。
【００３３】
＊  押出体（５）により、刃筒（１）及び採取刃（３）から皮膚（Ｓ）の採取片（Ｅ）をより一層容易に且つ確実に取り出すことができる。
【００３４】
＊  採取刃（３）及び押出体（５）は刃筒（１）に対し分離し得る組付体（２）で一体的に組み込まれているので、部品点数を少なくして構造を簡単にすることができる。
＊  採取刃（３）にあって、周壁（１４）は、採取端縁（１９）側へ開放した複数の切込み（１６）と、この各切込み（１６）により周方向へ区画されて片持ち梁状に形成した複数の弾性腕部（１７）とを有し、この各弾性腕部（１７）の先端部に採取端縁（１９）を形成した。そのため、採取刃（３）の周壁（１４）にあって各採取端縁（１９）の外面がその弾性により刃筒（１）の採取口部（１１）の内面に接触し易くなって、採取口部（１１）の内面に対する各採取端縁（１９）の外面の隙間が少なくなる。従って、採取片（Ｅ）を各採取端縁（１９）内に対し確実に保持し易くなり、採取片（Ｅ）をより一層容易に且つ確実に採取することができる。
＊  採取刃（３）の採取端縁（１９）にあって、引掛部（２０）は、尖端（２０ａ）から段差部（２１）へ延びる内面で、採取室（１８）から外側へ向かうに従い広がる斜面（２０ｂ）を有している。そのため、採取室（１８）の端部が外広がりになるとともに、この斜面（２０ｂ）が採取片（Ｅ）に対する案内機能を果たす。従って、採取片（Ｅ）を採取端縁（１９）内に対し確実に保持し易くなり、採取片（Ｅ）をより一層容易に且つ確実に採取することができる。
＊  採取刃（３）の周壁（１４）にあって採取端縁（１９）の外面は、刃筒（１）の採取口部（１１）の内面に接触している。そのため、採取口部（１１）の内面に対する採取端縁（１９）の外面の隙間が少なくなる。従って、採取片（Ｅ）を採取端縁（１９）内に対し確実に保持し易くなり、採取片（Ｅ）をより一層容易に且つ確実に採取することができる。
＊  押出体（５）は、採取端縁（１９）内から退避させるように付勢され、この付勢力に抗して採取端縁（１９）内へ挿入し得る。そのため、押出体（５）を操作し易くなる。従って、刃筒（１）及び採取刃（３）から採取片（Ｅ）をより一層容易に且つ確実に取り出すことができる。
＊  組付体（２）は、押出体（５）を採取端縁（１９）内から退避させるように付勢する弾性体（６）と、この弾性体（６）の付勢力に抗して押出体（５）を採取端縁（１９）内へ挿入する操作体（７）とを有している。そのため、押出体（５）を操作し易くなる。従って、刃筒（１）及び採取刃（３）から採取片（Ｅ）をより一層容易に且つ確実に取り出すことができる。
【図面の簡単な説明】
【図１】  本実施形態にかかる皮膚切除具を示す分解斜視図である。
【図２】  （ａ）は本実施形態にかかる皮膚切除具を示す組付け斜視図であり、（ｂ）は（ａ）の断面図である。
【図３】  本実施形態にかかる皮膚切除具の作用を説明するための部分断面図である。
【符号の説明】
１…刃筒、２…組付体、３…採取刃、５…押出体、１１…採取口部、１１ａ…切込端縁、１４…周壁、１８…採取室、１９…採取端縁、２０…引掛部、２１…段差部。
【図１】
0004002017.tif 000002
【図２】
0004002017.tif 000003
【図３】
0004002017.tif 000004